(57)【要約】      （修正有）【課題】軽量かつ簡便な構成でインテークリップに電波吸収性能を具備させる。【解決手段】インテークダクトは、航空機に設けられ、機体前方に向かって開口する吸気口を有する。インテークダクトのインテークリップ１０には、先細り状に形成されたコア材１１の表面に電波吸収体Ｌが設けられている。電波吸収体Ｌは、電波を透過させる発泡体からなる発泡体層Ｌ２と、高誘電率の誘電体からなる誘電損失材層Ｌ３とが、内層側からこの順に積層されたものである。【選択図】図２
2015171846.tif 000002
【特許請求の範囲】
【請求項１】
航空機に設けられ、機体前方に向かって開口する吸気口を有するインテークダクトであって、
前記吸気口側の開口先端部には、先細り状に形成されたコア材の表面に電波吸収体が設けられており、
前記電波吸収体は、電波を透過させる発泡体からなる発泡体層と、高誘電率の誘電体からなる誘電損失材層とが、内層側からこの順に積層されたものであることを特徴とするインテークダクト。
【請求項２】
前記誘電損失材層を構成する誘電体が、カーボンブラック、カーボンナノチューブ、カーボン繊維、カーボンマイクロコイル又は炭化ケイ素を含むものであることを特徴とする請求項１に記載のインテークダクト。
【請求項３】
前記発泡体層が、前記誘電損失材層を構成する誘電体の誘電率に応じた厚さに形成されていることを特徴とする請求項１又は２に記載のインテークダクト。
【請求項４】
前記電波吸収体は、前記発泡体層よりも内層側に、金属反射膜が被膜された薄膜フィルムからなる反射層を有することを特徴とする請求項１〜３の何れか一項に記載のインテークダクト。
【請求項５】
前記電波吸収体は、表面に保護層を有するとともに、前記コア材の表面に貼付されていることを特徴とする請求項１〜４の何れか一項に記載のインテークダクト。
【発明の詳細な説明】
【技術分野】
【０００１】
本発明は、航空機に適用されるインテークダクトに関し、特に、開口先端部のインテークリップに電波吸収性能が具備されたインテークダクトに関する。
【背景技術】
【０００２】
航空機においては、レーダー等から探知されにくくするために、電波を吸収して反射波を減らす電波吸収体が設けられる場合がある。特に、機体前方へ開口するインテークダクトの開口先端部（インテークリップ）は、空力抵抗を低減させるなどの目的で先細り状（鋭角）に形成されるため、レーダー波を反射させてしまいやすく、好適に電波吸収体を備える必要がある。
【０００３】
インテークリップに適用される電波吸収体の種類としては、フェライトなどの磁性体を用いたものが挙げられる。具体的には、磁性体を用いた塗料状の電波吸収体を塗布したり、シート状のものを貼付したりする構造が従来から用いられている。
【０００４】
また、例えば特許文献１では、外形を形成する電波透過材の内側に電波吸収体を設ける技術が提案されている。この技術によれば、前方からの電波が電波透過材を透過して電波吸収体に吸収されるため、鋭角な形状の部位においても好適に電波を吸収させることが可能である。電波吸収体の種類としては、磁性体を用いたものの他、誘電体を用いたものなども挙げられている。
【先行技術文献】
【特許文献】
【０００５】
【特許文献１】特開平１−２６０２９８号公報
【発明の概要】
【発明が解決しようとする課題】
【０００６】
しかしながら、磁性体を用いた電波吸収体は、比較的に重量が重くなるため、薄肉のインテークリップに適用するには好ましくない。さらに、通常の塗料よりも対候性に劣るといった欠点もある。
また、上記特許文献１に記載の技術は、構造が複雑であるため、薄肉のインテークリップに適用するのはそもそも困難である。
【０００７】
本発明は、上記課題を鑑みてなされたもので、軽量かつ簡便な構成でインテークリップに電波吸収性能を具備させることを目的とする。
【課題を解決するための手段】
【０００８】
上記目的を達成するために、請求項１に記載の発明は、
航空機に設けられ、機体前方に向かって開口する吸気口を有するインテークダクトであって、
前記吸気口側の開口先端部（インテークリップ）には、先細り状に形成されたコア材の表面に電波吸収体が設けられており、
前記電波吸収体は、電波を透過させる発泡体からなる発泡体層と、高誘電率の誘電体からなる誘電損失材層とが、内層側からこの順に積層されたものであることを特徴とする。
【０００９】
請求項２に記載の発明は、請求項１に記載のインテークダクトにおいて、
前記誘電損失材層を構成する誘電体が、カーボンブラック、カーボンナノチューブ、カーボン繊維、カーボンマイクロコイル又は炭化ケイ素を含むものであることを特徴とする。
【００１０】
請求項３に記載の発明は、請求項１又は２に記載のインテークダクトにおいて、
前記発泡体層が、前記誘電損失材層を構成する誘電体の誘電率に応じた厚さに形成されていることを特徴とする。
【００１１】
請求項４に記載の発明は、請求項１〜３の何れか一項に記載のインテークダクトにおいて、
前記電波吸収体は、前記発泡体層よりも内層側に、金属反射膜が被膜された薄膜フィルムからなる反射層を有することを特徴とする。
【００１２】
請求項５に記載の発明は、請求項１〜４の何れか一項に記載のインテークダクトにおいて、
前記電波吸収体は、表面に保護層を有するとともに、前記コア材の表面に貼付されていることを特徴とする。
【発明の効果】
【００１３】
請求項１に記載の発明によれば、インテークリップのコア材の表面に設けられた電波吸収体が、電波を透過させる発泡体からなる発泡体層と、高誘電率の誘電体からなる誘電損失材層とが内層側からこの順に積層されたものとなっている。したがって、当該電波吸収体を、磁性体を用いたものに比べて軽量で、且つ、簡便な積層構造のものとして、薄肉のインテークリップにも好適に適用することができる。よって、軽量かつ簡便な構成でインテークリップに電波吸収性能を具備させることができる。
【００１４】
請求項３に記載の発明によれば、発泡体層が、誘電損失材層を構成する誘電体の誘電率に応じた厚さに形成されているので、この発泡体層の厚さを調整することにより、容易に所望の電波吸収性能（例えば斜入射特性など）を得ることができる。
【００１５】
請求項４に記載の発明によれば、発泡体層よりも内層側の反射層が、金属反射膜の被膜された薄膜フィルムからなるものであるので、当該反射層全体に金属材料を用いるものに比べ、軽量化を図ることができる。
【００１６】
請求項５に記載の発明によれば、電波吸収体が、表面に保護層を有するとともにコア材の表面に貼付されているので、塗装型のものに比べ、対候性が向上するとともにメンテナンス性に優れたものとすることができる。
【図面の簡単な説明】
【００１７】
【図１】実施形態におけるインテークダクトの断面図である。
【図２】図１のＡ部の拡大図である。
【発明を実施するための形態】
【００１８】
以下、本発明の実施形態について、図面を参照して説明する。
図１は、本実施形態におけるインテークダクト１の断面図であり、図２は、図１のＡ部の拡大図である。
【００１９】
図１に示すように、インテークダクト１は、図示しない航空機の胴体部に設けられてエンジン部へ空気を取り込む吸気ダクトであり、その吸気口（エアインテーク）が機体前方に向かって開口している。このインテークダクト１のうち、吸気口側の開口先端部であるインテークリップ１０は、例えばＸバンド（８〜１２ＧＨｚ）のレーダー波を吸収してステルス性を得るための電波吸収体Ｌで表面が被覆されている。
なお、インテークリップ１０を除くインテークダクト１の表面は、インテークリップ１０と同様の電波吸収体Ｌで被覆されていてもよいし、例えば電波吸収塗料などの他の電波吸収構造が適用されていてもよい。
【００２０】
図２に示すように、電波吸収体Ｌは、複数層から構成されており、機体前方に向かって先細り状に形成されたコア材１１の表面に貼付されている。コア材１１は、インテークダクト１の構造材であり、発泡材やハニカム材などで構成されて、インテークリップ１０に要求される剛性を保持している。
【００２１】
具体的には、電波吸収体Ｌは、反射層Ｌ１と、発泡体層Ｌ２と、誘電損失材層Ｌ３と、保護層Ｌ４とが、内層側からこの順に積層されて構成されている。
このうち、反射層Ｌ１は、電波を反射させる層であり、表面に金属反射膜（例えばアルミニウム皮膜）が被膜された薄膜のフィルム材で構成されている。
【００２２】
発泡体層Ｌ２は、電波を透過させる低誘電率の発泡体からなる層である。この発泡体層Ｌ２は、所望の電波吸収性能が得られるように、誘電損失材層Ｌ３を構成する誘電体の誘電率に応じた所定の厚さに形成されている。先細り状に形成されたインテークリップ１０では、機体前方からの電波が表面に対して斜めに入射しやすいため、電波吸収体Ｌは、各種の電波吸収性能のなかでも特に斜入射特性に優れていることが好ましい。そのため、発泡体層Ｌ２は、誘電損失材層Ｌ３の誘電率に応じて、良好な斜入射特性が得られるような所定の厚さに形成されることが好ましい。具体的には、誘電損失材層Ｌ３の複素誘電率の虚部の値が大きくなるに連れて発泡体層Ｌ２の厚さを厚くすると、良好な斜入射特性を得ることができる。
【００２３】
誘電損失材層Ｌ３は、高誘電率の誘電体からなる薄い層である。このような誘電損失材層Ｌ３としては、カーボンブラック，カーボンナノチューブ，カーボン繊維又はカーボンマイクロコイル（ＣＭＣ）を含むシート材や、短繊維状の炭化ケイ素を含むマット材などが好適に用いられる。
【００２４】
保護層Ｌ４は、電波吸収体Ｌの表面を保護する層である。この保護層Ｌ４としては、外部からの電波を反射させにくい低誘電率のものが好ましく、例えばガラス繊維又はケプラー繊維を含む繊維強化プラスチックなどの複合材料が好適に用いられる。
【００２５】
以上のように、本実施形態のインテークダクト１によれば、インテークリップ１０のコア材１１の表面に設けられた電波吸収体Ｌが、電波を透過させる発泡体からなる発泡体層Ｌ２と、高誘電率の誘電体からなる誘電損失材層Ｌ３とが内層側からこの順に積層されたものとなっている。したがって、当該電波吸収体Ｌを、磁性体を用いたものに比べて軽量で、且つ、簡便な積層構造のものとして、薄肉のインテークリップ１０にも好適に適用することができる。よって、軽量かつ簡便な構成でインテークリップ１０に電波吸収性能を具備させることができる。
【００２６】
また、発泡体層Ｌ２が、誘電損失材層Ｌ３を構成する誘電体の誘電率に応じた厚さに形成されているので、この発泡体層Ｌ２の厚さを調整することにより、容易に所望の電波吸収性能（例えば斜入射特性など）を得ることができる。
【００２７】
また、発泡体層Ｌ２よりも内層側の反射層Ｌ１が、金属反射膜の被膜された薄膜フィルムからなるものであるので、当該反射層全体に金属材料を用いるものに比べ、軽量化を図ることができる。
【００２８】
また、電波吸収体Ｌが、表面に保護層Ｌ４を有するとともにコア材１１の表面に貼付されているので、塗装型のものに比べ、対候性が向上するとともにメンテナンス性に優れたものとすることができる。
【００２９】
なお、本発明を適用可能な実施形態は、上述した実施形態に限定されることなく、本発明の趣旨を逸脱しない範囲で適宜変更可能である。
【符号の説明】
【００３０】
１          インテークダクト
１０        インテークリップ
１１      コア材
Ｌ        電波吸収体
Ｌ１    反射層
Ｌ２    発泡体層
Ｌ３    誘電損失材層
Ｌ４    保護層
【図１】
2015171846.tif 000003
【図２】
2015171846.tif 000004